(57)【要約】  複数の層に対するＳＩＣイコライザ係数は、計算オーバーヘッドおよび複雑性を減少させる方法で同時に発生される。使用される送信アンテナの数（ＭT）が２本を超えた場合、逆行列は、リカッチ再帰の修正されたバージョンを使用することによって発生される。この技術を使用して逆行列を生成している間に、（整数であるＮ＞２）Ｎ層行列に対して、Ｎよりも小さい層に対する逆行列も同時に生成される。これにより、それぞれの各層に対する逆行列を別々に生成する必要がなくなる。【選択図】    図３
2010537584.tif 000002
【特許請求の範囲】
【請求項１】
ワイヤレス通信システムにおける方法において、
データ送信を受信することと、
前記受信したデータ送信を分離するイコライザ係数を発生させる再帰スキームを選択することと、
前記選択された再帰スキームを使用することによって、複数の層に対する前記イコライザ係数を同時に発生させることとを含む方法。
【請求項２】
前記データ送信のために使用されるアンテナの数を決定することをさらに含む請求項１記載の方法。
【請求項３】
前記再帰スキームを選択することの前に、前記データ送信のために２本より多いアンテナを前記システムが使用したか否かを決定することをさらに含む請求項１記載の方法。
【請求項４】
前記データ送信を受信することは、最小自乗平均誤差（ＭＭＳＥ）技術を使用している受信機において前記送信を受信することを含む請求項１記載の方法。
【請求項５】
前記データ送信を受信することは、最小自乗平均誤差（ＭＭＳＥ）技術を使用しているアクセスポイントにおいて前記送信を受信することを含む請求項１記載の方法。
【請求項６】
前記データ送信を受信することは、最小自乗平均誤差（ＭＭＳＥ）技術を使用しているアクセス端末において前記送信を受信することを含む請求項１記載の方法。
【請求項７】
前記複数の層に対するイコライザ係数を発生させることは、前記システムによって使用されるアンテナの数に基づいて、すべての必要な層に対する前記イコライザ係数を発生させることを含む請求項１記載の方法。
【請求項８】
前記複数の層に対するイコライザ係数を発生させることは、１つの逆行列を使用することを含む請求項１記載の方法。
【請求項９】
ワイヤレス通信システム中で動作可能な装置において、
データ送信を受信する手段と、
前記受信したデータ送信を分離するイコライザ係数を発生させる再帰スキームを選択する手段と、
前記選択された再帰スキームを使用することによって、複数の層に対する前記イコライザ係数を同時に発生させる手段とを具備する装置。
【請求項１０】
前記データ送信のために使用されるアンテナの数を決定する手段をさらに備えている請求項９記載の装置。
【請求項１１】
前記再帰スキームの選択することの前に、前記データ送信のために２本より多いアンテナを前記システムが使用したか否かを決定する手段をさらに備えている請求項９記載の装置。
【請求項１２】
前記データ送信を受信する手段は、最小自乗平均誤差（ＭＭＳＥ）技術を使用している受信機において前記送信を受信する手段を備えている請求項９記載の装置。
【請求項１３】
前記データ送信を受信する手段は、最小自乗平均誤差（ＭＭＳＥ）技術を使用しているアクセスポイントにおいて前記送信を受信する手段を備えている請求項９記載の装置。
【請求項１４】
前記データ送信を受信する手段は、最小自乗平均誤差（ＭＭＳＥ）技術を使用しているアクセス端末において前記送信を受信する手段を備えている請求項９記載の装置。
【請求項１５】
前記複数の層に対するイコライザ係数を発生させる手段は、前記システムによって使用されるアンテナの数に基づいて、すべての必要な層に対する前記イコライザ係数を発生させる手段を備えている請求項９記載の装置。
【請求項１６】
前記複数の層に対するイコライザ係数を発生させる手段は、１つの逆行列を使用する手段を備えている請求項９記載の装置。
【請求項１７】
ＳＩＣイコライザ係数を発生させる装置において、
使用される送信アンテナの数（ＭT）が２本よりも多い場合、修正されたリカッチ再帰を使用して、（整数であるＮ＞２）Ｎ層行列に対する逆行列を生成させることと、
Ｎより少ない層に対する逆行列を同時に発生させることと、を実行するように構成されている少なくとも１つのプロセッサと、
前記少なくとも１つのプロセッサに結合され、コンピュータ実行可能なコードを記憶するメモリとを具備する装置。
【請求項１８】
前記逆行列は、シンボルレートホッピングに対して、第１の修正されたリカッチ再帰アルゴリズム／スキームを使用して評価され、前記ＭT×ＭTは、
【数１】
2010537584.tif 000014
として定義され、
ここで、ｈjkは、ＨKのｊ番目の行である請求項２１記載の装置。
【請求項１９】
前記再帰がｉ＝１，２．．．ＭRとして使用できるように、前記プロセッサは逆行列の補助定理を使用し、
【数２】
2010537584.tif 000015
である請求項１８記載の装置。
【請求項２０】
それぞれの反復について、演算および関係する複雑性は、第１の反復：
【数３】
2010537584.tif 000016
および、
前方への第２の反復：
【数４】
2010537584.tif 000017
として評価される請求項１９記載の装置。
【請求項２１】
コンピュータプログラムプロダクトにおいて、
データ送信を受信することと、
前記受信したデータ送信を分離するイコライザ係数を発生させる再帰スキームを選択することと、
前記選択された再帰スキームを使用することによって、複数の層に対する前記イコライザ係数を同時に発生させることと、を少なくとも１つのコンピュータに実行させるためのコンピュータ実行可能なコードを含むコンピュータ読み取り可能媒体を含むコンピュータプログラムプロダクト。
【請求項２２】
前記コンピュータ読み取り可能な媒体は、前記データ送信のために使用されるアンテナの数を決定することを前記少なくとも１つのコンピュータに実行させるためのコンピュータ実行可能なコードをさらに含む請求項２１記載のコンピュータプログラムプロダクト。
【請求項２３】
前記コンピュータ読み取り可能な媒体は、前記再帰スキームを選択することの前に、前記データ送信のために２本より多いアンテナを前記システムが使用したか否かを決定することを前記少なくとも１つのコンピュータに実行させるためのコンピュータ実行可能なコードをさらに含む請求項２２記載のコンピュータプログラムプロダクト。
【請求項２４】
前記データ送信を受信することは、最小自乗平均誤差（ＭＭＳＥ）技術を使用している受信機において前記送信を受信することを含む請求項２１記載のコンピュータプログラムプロダクト。
【請求項２５】
前記データ送信を受信することは、最小自乗平均誤差（ＭＭＳＥ）技術を使用しているアクセスポイントにおいて送信を受信することを含む請求項２１記載のコンピュータプログラムプロダクト。
【請求項２６】
前記データ送信を受信することは、最小自乗平均誤差（ＭＭＳＥ）技術を使用しているアクセス端末において送信を受信することを含む請求項２１記載のコンピュータプログラムプロダクト。
【請求項２７】
前記複数の層に対するイコライザ係数を発生させることは、前記システムによって使用されるアンテナの数に基づいて、すべての必要な層に対する前記イコライザ係数を発生させることを含む請求項２１記載のコンピュータプログラムプロダクト。
【請求項２８】
前記複数の層に対するイコライザ係数を発生させることは、１つの逆行列を使用することを含む請求項２１記載のコンピュータプログラムプロダクト。
【発明の詳細な説明】
【背景】
【０００１】
Ｉ．分野
以下の記述は、一般的に、ワイヤレス通信に関する。さらに詳細に述べると、ＭＩＭＯシステムにおいてイコライザ係数を発生させるためのスキームに関する。
【０００２】
ＩＩ．背景
例えば、音声、メディア、データ等のようなさまざまなタイプの通信コンテンツを提供するために、ワイヤレス通信システムが広範囲に展開されている。これらのシステムは、利用可能なシステムリソース（例えば、帯域幅や送信電力）を共有することによって、複数のユーザとの通信をサポートすることが可能な多元接続システムである。このような多元接続システムの例は、コード分割多元接続（ＣＤＭＡ）システム、時間分割多元接続（ＴＤＭＡ）システム、周波数分割多元接続（ＦＤＭＡ）システム、３ＧＰＰ ＬＴＥシステム、３ＧＰＰ２ ＵＭＢシステム、直交周波数分割多元接続（ＯＦＤＭＡ）システムを含む。
【０００３】
直交周波数分割多元接続（ＯＦＤＭＡ）システムは、直交周波数分割多重（ＯＦＤＭ）を利用している。ＯＦＤＭは、全システム帯域幅を複数（Ｎ個）の直交周波数副搬送波に分割する多重搬送波変調技術である。これらの副搬送波は、トーン、ビン、周波数チャネルと呼ばれることがある。それぞれの副搬送波は、データで変調される各副搬送波に関係付けられる。それぞれのＯＦＤＭシンボル期間では、Ｎ個までの変調シンボルが、合計Ｎ個の副搬送波上で送信される。これらの変調シンボルは、Ｎ点の逆高速フーリエ変換（ＩＦＦＴ）によって時間ドメインに変換され、Ｎ個の時間ドメインチップまたはサンプルを含む変換されたシンボルが発生される。
【０００４】
周波数ホッピング通信システムでは、データは、「ホップ期間」と呼ばれる異なる時間間隔で、異なる周波数副搬送波上で送信される。これらの周波数副搬送波は、直交周波数分割多重、他の多重搬送波変調技術、または他のいくつかの構成によって提供されてもよい。周波数ホッピングによって、データ送信は、擬似ランダム方法で、副搬送波から副搬送波にホップする。このホッピングは、周波数ダイバシティを提供し、このホッピングによって、狭帯域干渉、ジャミング、フェーディング等のような有害なパスの影響にデータ送信は、より耐えることができる。
【０００５】
ＯＦＤＭシステムは、複数の移動局を同時にサポートすることができる。周波数ホッピングＯＦＤＭＡシステムの場合、所定の移動局に対するデータ送信は、特定の周波数ホッピング（ＦＨ）シーケンスに関係する「トラフィック」チャネル上で送信される。このＦＨシーケンスは、それぞれのホップ期間におけるデータ送信のために使用する特定の副搬送波を示す。複数の移動局に対する複数のデータ送信は、異なるＦＨシーケンスに関係する複数のトラフィックチャネル上で同時に送られてもよい。１つのみのトラフィックチャネル、ゆえに、１つのみのデータ送信が、それぞれのホップ期間においてそれぞれの副搬送波を使用するように、これらのＦＨシーケンスは互いに直交であるように規定されていてもよい。直交ＦＨシーケンスを使用することによって、複数のデータ送信は、一般的に、互いに干渉しないとともに、周波数ダイバシティの利益を受ける。
【０００６】
一般的に、ワイヤレス多元接続通信システムは、同時に、複数のワイヤレス端末に対する通信をサポートすることができる。それぞれの端末は、フォワードおよびリバースリンク上での送信を通して、１つ以上の基地局と通信する。フォーワードリンク（またはダウンリンク）は、基地局から端末への通信リンクのことを意味し、リバースリンク（またはアップリンク）は、端末から基地局への通信リンクのことを意味する。この通信リンクは、単一入力単一出力（ＳＩＳＯ）、複数入力単一出力（ＭＩＳＯ）、単一入力複数出力（ＳＩＭＯ）、または複数入力複数出力（ＭＩＭＯ）システムによって確立されてもよい。
【０００７】
ＭＩＭＯシステムは、データ送信のために、複数（ＮT本）の送信アンテナおよび複数（ＮR本）の受信アンテナを使用する。ＮT本の送信アンテナおよびＮR本の受信アンテナによって形成されるＭＩＭＯチャネルは、ＮS個の独立チャネルに分解されてもよく、これを空間チャネルとも呼び、ここでは、ＮS≦min｛ＮT,ＮR｝である。ＮS個の独立チャネルのそれぞれは、次元に対応する。複数の送信および受信アンテナによって生成されるさらなる次元が利用される場合、ＭＩＭＯシステムは、向上した性能（例えば、より高いスループットおよび／またはより高い信頼性）を提供する。
【０００８】
ＭＩＭＯシステムは、時分割デュプレックス（ＴＤＤ）および周波数分割デュプレックス（ＦＤＤ）システムをサポートする。ＴＤＤシステムでは、相互関係の原理によって、リーバスリンクチャネルからのフォワードリンクチャネルの推定が可能になるように、フォワードおよびリバースリンク送信は同じ周波数領域上でなされる。これによって、複数のアンテナがアクセスポイントにおいて利用可能であるときに、アクセスポイントは、ビーム形成利得を抽出し、フォワードリンク上で送信することができる。
【０００９】
従来のＭＩＭＯワイヤレスシステムには、２つの動作モード、シングルコードワード（ＳＣＷ）およびマルチコードワード（ＭＣＷ）がある。ＭＣＷモードでは、それぞれのトーンに対して、送信機は、それぞれの空間層上で独立的に送信されるデータを、可能であれば異なるレートでエンコードすることができる。受信機は、連続的干渉キャンセル（ＳＩＣ）アルゴリズムを使用し、また、それぞれのトーンに対して、最小自乗平均誤差（ＭＭＳＥ）受信機またはゼロフォーシング（ＺＦ）受信機のような低複雑性線形受信機、あるいは非線形受信機を使用することができる。
【００１０】
ＭＩＭＯ設計には、ＭＩＭＯ空間多重ストリームを分離するために、受信機におけるＭＭＳＥイコライザの使用が必要である。ＭＭＳＥ等化は、（ａ）イコライザ係数計算と、（ｂ）それぞれのデータシンボルに対するＳＩＮＲおよびバイアス計算と、（ｃ）データシンボルの復調とからなる。従来の受信機の場合、個々の逆行列を別々に計算することによって、それぞれのＳＩＣ層に対してイコライザ係数が発生される。これによって、ＳＣＩ受信機の計算の複雑性が増す。したがって、最小のオーバーヘッドおよび複雑さで、複数の層に対してＳＩＣイコライザ係数を自動的に発生させるシステムおよび／または方法が技術的に必要である。
【概要】
【００１１】
以下では、このような観点の基本的な理解を提供するために、１つ以上の観点の簡略化した概要を示している。この概要は、すべて検討した観点の多彩な概略ではなく、すべての観点の重要または不可欠なエレメントを識別することにも、何らかの観点またはすべての観点の範囲を詳細に述べることにも向けられていない。この唯一の目的は、後に示す詳細な説明の前置きとして、１つ以上の観点のうちのいくつかの概念を簡単な形態で示すことである。
【００１２】
ここで記述したシステムおよび方法にしたがって、ＳＩＣイコライザ係数は、従来スキームと比較して計算オーバーヘッドおよび複雑性を減少させる方法で、複数の層に対して同時に発生される。使用される送信アンテナの数（ＭT）に基づいて、２本より多い（（ＭT＞２）送信アンテナを備えたシステムに対して、リカッチ再帰の修正されたバージョンを使用することによって逆行列は実行される。この技術を使用して逆行列を生成している間、（整数であるＮ＞２）Ｎ層行列に対して、Ｎより小さい層に対する逆行列は同時に生成される。これにより、それぞれの各層に対する逆行列を別々に生成する必要がなくなる。
【００１３】
観点にしたがうと、方法は、１つの逆行列を計算することによって、複数の層に対するイコライザ係数を同時に発生させる。
【００１４】
別の観点では、受信機は、ただ１つの逆行列を計算することによって、すべての層に対するイコライザ係数を同時に発生させる。
【００１５】
観点にしたがうと、ワイヤレス通信システムにおける方法は、データ送信を受信することと；受信したデータ送信を区切るイコライザ係数を発生させる再帰スキームを選択することと；選択された再帰スキームを使用することによって、複数の層に対するイコライザ係数を同時に発生させることとを含む。
【００１６】
さらなる別の観点では、ワイヤレス通信システム中で動作可能な装置は、データ送信を受信する手段と；受信したデータ送信を区切るイコライザ係数を発生させる再帰スキームを選択する手段と；選択された再帰スキームを使用することによって、複数の層に対するイコライザ係数を同時に発生させる手段とを具備する。
【００１７】
さらなる別の観点では、コンピュータプログラムプロダクトは、データ送信を受信することと；受信したデータ送信を区切るイコライザ係数を発生させる再帰スキームを選択することと；選択された再帰スキームを使用することによって、複数の層に対するイコライザ係数を同時に発生させることと；を少なくとも１つのコンピュータに実行させるためのコンピュータ実行可能なコードを含むコンピュータ読み取り可能媒体を含む。
【００１８】
先述の関連した目的の達成のために、詳細な説明および添付した図面とともに、１つ以上の観点は、以下で完全に記述した特徴および特許請求の範囲において部分的に指摘した特徴を含む。以下の詳細な説明および図面では、１つ以上の観点のいくつかの例示的な観点を詳細に述べている。しかしながら、これらの観点は、ほんの数例のさまざまな方法を示しているにすぎず、ここでは、さまざまな観点の原理が使用され、記述した観点はこのようなすべての観点および均等物を含むことを意図している。
【図面の簡単な説明】
【００１９】
【図１】図１は、ワイヤレス通信環境において最適なダウンリンク送信を実現する例示的なシステムの図である。
【図２】図２は、実施形態にしたがった、複数入力複数出力多元接続ワイヤレス通信システムにおける送信機システムおよび受信機システムの実施形態のブロック図を図示している。
【図３】図３は、ワイヤレス通信システムにおける受信機によって使用されるタイプのシステムを促進する例示的な方法の図である。
【図４】図４は、ここで提示した１つ以上の観点にしたがった、他のセクタ通信を提供するシステムを図示している。
【図５】図５は、ワイヤレス通信システムにおいて方法を実行するモジュールのブロック図を図示している。
【図６】図６は、移動体デバイス能力にしたがった、多重化されたダウンリンク送信を促進するシステムのブロック図である。
【図７】図７は、移動体デバイス能力にしたがった、多重化されたダウンリンク送信を促進するシステムのブロック図である。
【詳細な説明】
【００２０】
これから、図面に関連してさまざまな実施形態を記述する。同じ参照番号を用いて、全体を通して同じエレメントを参照する。以下の記述では、説明の目的のために、１つ以上の実施形態の全体的な理解を提供するために、多数の特定の詳細な説明を述べている。しかしながら、これらの特定の詳細な説明がなくても、このような実施形態を実施できることは明らかである。他の例では、１つ以上の実施形態を記述することを容易にするために、よく知られている構造およびデバイスをブロック図の形態で示している。
【００２１】
本出願において使用されているような、例として、事例として、あるいは実例として機能することを意味するために、「例示的な」という文言をここで使用する。「例示的な」ものとして、ここで記述したいずれの観点または設計は、他の観点または設計と比較して、必ずしも好ましいものとして、または効果的なものとして解釈されるものではない。むしろ、例示的なという文言の使用は、具体的に概念を示すことに向けられている。
【００２２】
さらに、「または」という文言は、排他的な「または」というよりむしろ、包含的な「または」を意味することを意図している。すなわち、特定の明記がない限り、または、文脈から明らかでない限り、「ＸがＡまたはＢを使用する」は、自然な包含的順列のうちのいずれかを意味することを意図している。すなわち、ＸがＡを使用する；ＸがＢを使用する；または、ＸがＡおよびＢの双方とも使用する場合、「ＸがＡまたはＢを使用する」は、先述の例のうちのいずれのものによって満たされる。さらに、本願明細書および添付した特許請求の範囲で用いている冠詞「ａ」および「ａｎ」は、特定の明記がない限り、または、単数形を意図する文脈から明らかでない限り、一般的に、「１つ以上」を意味すると解釈すべきである。
【００２３】
本出願において使用されているような、「コンポーネント」、「モジュール」、「システム」という文言や、これらに類するものは、コンピュータ関連エンティティのことを意味することを意図しており、コンピュータ関連エンティティは、ハードウェア、ファームウェア、ハードウェアとソフトウェアとを組み合わせたもの、ソフトウェア、または実行中のソフトウェアのいずれかである。例えば、コンポーネントは、プロセッサ上で実行しているプロセスや、プロセッサや、オブジェクトや、実行可能ファイルや、実行のスレッドや、プログラムや、および／またはコンピュータであってもよいが、これらに限定されない。例示として、コンピューティングデバイス上で実行しているアプリケーションおよびコンピューティングデバイスの双方ともコンポーネントであってもよい。１つ以上のコンポーネントは、実行のプロセスおよび／またはスレッド内に存在していてもよく、コンポーネントは、１つのコンピュータ上で局所化および／または２つ以上のコンピュータ間で分散されてもよい。さらに、これらのコンポーネントは、記憶されたさまざまなデータ構造を有するさまざまなコンピュータ読み取り可能媒体から実行することができる。コンポーネントは、１つ以上のデータパケット（例えば、ローカルシステム中の、分散システム中の別のコンポーネントと対話する１つのコンポーネントからのデータ、および／または、インターネットのようなネットワークを通して信号により他のシステムと対話する１つのコンポーネントからのデータ）を有する信号にしたがうような、ローカルおよび／またはリモートプロセスの方法によって通信してもよい。
【００２４】
特定の状況またはアクションを識別するために、あるいは、人間の介在なく、システムの特定の状態またはユーザの行動の確率分布を発生させるために、人工知能（ＡＩ）が使用されてもよい。人工知能は、アドバンスド数学的アルゴリズム、例えば、決定ツリーや、ニューラルコンピュータや、回帰分析や、クラスタ解析や、遺伝的アルゴリズムや、強化学習を、システムまたはユーザに関する１組の利用可能なデータ（情報）に適用することに依存する。
【００２５】
さらに、移動体デバイスに関連してさまざまな実施形態をここで記述する。移動体デバイスは、システム、加入者ユニット、加入者局、移動局、移動体、遠隔局、遠隔端末、アクセス端末、ユーザ端末、端末、ワイヤレス通信デバイス、ユーザエージェント、ユーザデバイス、またはユーザ機器（ＵＥ）とも呼ばれてもよい。移動体デバイスは、セルラ電話機、コードレス電話機、セッション開始プロトコル（ＳＩＰ）電話機、ワイヤレスローカルループ（ＷＬＬ）局、パーソナルデジタルアシスタント（ＰＤＡ）、ワイヤレス接続能力を有するハンドヘルドデバイス、コンピューティングデバイス、またはワイヤレスモデムに接続されている他の処理デバイスであってもよい。さらに、ここでは、さまざまな実施形態を基地局に関連して記述している。移動体デバイスと通信するために、基地局が利用されてもよく、基地局は、アクセスポイント、ノードＢと呼ばれてもよく、または他の専門用語で呼ばれてもよい。
【００２６】
さらに、ここで記述するさまざまな観点または特徴は、標準プログラミングおよび／またはエンジニアリング技術を使用している製造業者の方法、装置または、物として実現されてもよい。ここで用いる「製造業者の物」という文言は、何らかのコンピュータ読み取り可能媒体、キャリア、または媒体からアクセス可能なコンピュータプログラムを含むことを意図している。例えば、コンピュータ読み取り可能媒体は、磁気記憶デバイス（例えば、ハードディスク、フロッピー（登録商標）ディスク、磁気ストライプ等）や、光ディスク（例えば、コンパクトディスク（ＣＤ）、デジタル汎用性ディスク（ＤＶＤ）等）や、スマートカードや、フラッシュメモリデバイス（例えば、ＥＰＲＯＭ、カード、スティック、キードライブ等）を含んでいてもよいが、これらに限定されない。さらに、ここで記述するさまざまな記憶媒体は、情報を記憶するための１つ以上のデバイスおよび／または他の機械読み取り可能媒体を表すことができる。“機械読み取り可能媒体”という文言は、命令および／またはデータを記憶、含む、および／または伝えることができるさまざまな他の媒体およびワイヤレスチャネルを含んでいてもよいが、これらに限定されない。
【００２７】
これから図１を参照すると、さまざまな実施形態にしたがった、ワイヤレス通信環境中の最適なダウンリンク送信を実現するシステム１００をここで図示している。基地局１００は、１つ以上の移動体デバイス１０２と通信するように構成されている。基地局１００は、局所化および分散化送信の多重化を可能にする最適化コンポーネント１０６と、例えば、基地局能力に関する情報を受信する受信コンポーネント１０８とを備えている。以下に説明するように、周波数ダイバシティが実現されて、送信に関係するオーバーヘッド損失がさまざまなスキームによって減じられるように、最適化コンポーネント１０６がダウンリンク送信を可能にする。正しく認識できるように、局所化または分散化された送信の多重化は、さまざまなトラフィックサービスやユーザの能力の適応を可能にし、１つ以上の移動体デバイス１０４のユーザがチャネルプロパティを利用することをさらに可能にする。
【００２８】
さらに、例えば、１つ以上の移動体デバイス１０２は、基地局１００における最適化コンポーネント１０６に向けて、移動体デバイス能力や、ダウンリンクチャネル状態の推定に関連する情報および加入者データを提供できる。基地局１００は、高速ユーザ対低速ユーザのパーセンテージを決定し、加入者データおよび移動体デバイス能力に関する情報を記憶できることも正しく認識すべきである。基地局１００のこのような能力によって、最適な多重化スキームを最適化コンポーネント１０６が周囲の条件にしたがって選択することがさらに可能になる。
【００２９】
最適化決定およびこれに類するものに関して決定または推論することに関連して、最適化コンポーネント１０６が使用されてもよい。最適化コンポーネント１０６は、例えば、決定または推論することに関連して、確率論ベースまたは統計ベースのアプローチを使用できる。推論は、システムを使用する前の（示していない）分類器の明示的トレーニングに部分的に基づき、あるいは、以前または現在のアクション、コマンド、命令、およびシステムの使用中のこれらに類するものに少なくとも基づいた暗黙的トレーニングに基づいていてもよい。
【００３０】
最適化コンポーネント１０６は、データから学習して、その後、ここで記述したさまざまな自動化された観点を実現することにしたがってそのように構成されているモデル（例えば、隠れマルコフモデル（ＨＭＭ）および関連プロトタイプ依存モデルや、例えば、ベイジアンモデルスコアまたは近似を使用して構造サーチにより生成されるベイジアンネットワークのような、より一般的な確率的グラフィックモデルや、サポートベクトルマシーン（ＳＶＭ）のような線形分類器、「ニューラルネットワーク」方法と呼ばれる方法のような非線形分類器、ファジー論理方法、データ融合を行う他のアプローチ等）から推論を引き出す、多数の方法のうちの１つを使用してもよい。
【００３１】
方法は、より発見的ルールベースのエキスパートシステムまたは定理証明器のような論理関係の捕捉のための方法も含む。何らかの目的関数を最大化しようとする線形および非線形プログラミングのような最適化技術では、このような学習または手動的に構成されたモデルから導出された推論が使用されてもよい。
【００３２】
最適化コンポーネント１０６は、履歴データや、現在の状況についてのデータを考慮に入れることができる。不正確な決定または推論を行う損失対正確な決定または推論を行う利益の考察を含むことを考慮するポリシーが使用されてもよい。したがって、入力またはヒントを他のコンポーネントに提供するために、あるいは、自動化されたアクションを直接的に起こすために、予測されるユーティリティベースの解析が使用されてもよい。このような解析に関連して、ランク付けおよび信頼性尺度が計算および使用されてもよい。
【００３３】
最適化は動的であり、そして、選択および実現されるポリシーは、多数のパラメータの関数として変化するだろう；したがって、最適化コンポーネント１０６は適応可能であることを正しく認識すべきである。
【００３４】
図２を参照すると、ＭＩＭＯシステム２００中の送信機システム２１０および受信機システム２５０の実施形態のブロック図を図示している。送信機システム２１０では、多数のデータストリームに対するトラフィックデータが、データ源２１２から送信（ＴＸ）データプロセッサ２１４に提供される。実施形態では、それぞれのデータストリームが、各送信アンテナを通して送信される。ＴＸデータプロセッサ２１４は、そのデータストリームに対して選択された特定のコーディングスキームに基づいて、それぞれのデータストリームに対するトラフィックデータをフォーマット化、コード化、およびインターリーブして、コード化されたデータを提供する。
【００３５】
それぞれのデータストリームに対するコード化されたデータは、ＯＦＤＭ技術を使用して、パイロットデータと多重化されてもよい。パイロットデータは、一般的に、既知の方法で処理される既知のデータパターンであり、また、受信機システムにおいてチャネル応答を推定するために使用されてもよい。そのデータストリームに対して選択された特定の変調スキーム（例えば、ＢＰＳＫ、ＱＳＰＫ、Ｍ−ＰＳＫ、またはＭ−ＱＡＭ）に基づいて、多重化された、パイロットおよびそれぞれのデータストリームに対するコード化データが変調（例えば、シンボルマッピング）されて、変調シンボルが提供される。それぞれのデータストリームに対するデータレート、コーディング、および変調は、プロセッサ２３０によって実行または提供される命令によって決定されてもよい。
【００３６】
データストリームに対する変調シンボルは、ＴＸプロセッサ２２０に提供され、ＴＸプロセッサ２２０が、（例えば、ＯＦＤＭに対する）変調シンボルをさらに処理する。ＴＸプロセッサ２２０が、ＮT個の変調シンボルストリームをＮT個の送信機（ＴＭＴＲ）２２２ａないし２２２ｔに提供する。各送信機２２２は、各シンボルストリームを受け取って処理し、１つ以上のアナログ信号を提供し、アナログ信号をさらに調整（例えば、増幅、フィルタリング、およびアップコンバート）し、ＭＩＭＯチャネルを通しての送信に適した変調された信号を提供する。送信機２２２ａないし２２２ｔからのＮT個の変調された信号は、それぞれ、ＮT本のアンテナ２２４ａないし２２４ｔから送信される。
【００３７】
受信機システム２５０では、送信された変調信号が、ＮR本のアンテナ２５２ａないし２５２ｒによって受信され、それぞれのアンテナ２５２から受信した信号が、各受信機（ＲＣＶＲ）２５４に提供される。それぞれの受信機２５４は、各受信信号を調整（例えば、フィルタリング、増幅、ダウンコンバート）し、調整された信号をデジタル化して、サンプルを提供し、サンプルをさらに処理して、対応する「受信した」シンボルストリームを提供する。
【００３８】
そして、ＲＸデータプロセッサ２６０が、特定の受信機処理技術に基づいて、ＮR個の受信機２５４からのＮR個の受信シンボルストリームを受け取って処理して、ＮT個の「検出された」シンボルストリームを提供する。ＲＸデータプロセッサ２６０による処理をさらに詳細に以下で説明する。それぞれの検出されたシンボルストリームは、対応するデータストリームに対して送信された変調シンボルの推定値であるシンボルを含む。ＲＸデータプロセッサ２６０が、それぞれの検出されたシンボルストリームを復調、デインターリーブ、デコードし、データストリームに対するトラフィックデータを回復させる。ＲＸデータプロセッサ２６０による処理は、送信機システム２１０における、ＴＸプロセッサ２２０およびＴＸデータプロセッサ２１４によって実行される処理に対して補完的である。
【００３９】
ＲＸプロセッサ２６０は、例えば、トラフィックデータと多重化されるパイロット情報に基づいて、ＮT本の送信アンテナとＮR本の受信アンテナとの間のチャネル応答の推定値を導出してもよい。ＲＸプロセッサ２６０は、メモリ、例えば、それぞれのパイロットシンボルに割り当てられた周波数副搬送波およびシンボル期間を識別するメモリ２７２中に記憶されているパイロットパターンにしたがって、パイロットシンボルを識別する。さらに、受信したシンボルを多重化するために、ユーザ特定およびセクタ特定スクランブリングシーケンスがＲＸプロセッサ２６０によって利用されて、適切なデコーディングが生じるように、ユーザ特定およびセクタ特定スクランブリングシーケンスがメモリ中に記憶されてもよい。
【００４０】
ハンドオフ中にパイロットおよびデータシンボルをデコードするために、ＲＸプロセッサ２６０およびプロセッサ２７０は、ハンドオフのために割り当てられたパイロットパターンのうちの１つを使用するそれぞれのセクタからパイロットシンボルを別々に抽出する。ハンドオフのために割り当てられたパイロットパターンのうちの１つにしたがって送信されるパイロットシンボルや関係するデータシンボルは、それぞれのセクタに対してデコードされ、セクタのすべてから合成されてもよい。先に述べたように、最大比合成（ＭＲＣ）または他の既知の技術を利用することによって、合成が実行されてもよい。
【００４１】
ＲＸプロセッサ２６０によって発生されるチャネル応答推定値を使用して、受信機において、空間、空間／時間処理を実行し、電力レベルを調整し、変調レートまたはスキーム、あるいは他のアクションを変更する。ＲＸプロセッサ２６０は、検出されたシンボルストリームの信号対ノイズおよび干渉比（ＳＮＲ）を、そして可能であれば、他のチャネル特性をさらに推定し、これらの数量をプロセッサ２７０に提供する。ＲＸデータプロセッサ２６０またはプロセッサ２７０は、システムに対する「オペレーティング」ＳＮＲの推定値をさらに導出してもよい。プロセッサ２７０は、チャネル状態情報（ＣＳＩ）を提供し、チャネル状態情報（ＣＳＩ）は、通信リンクおよび／または受信データストリームに関する、さまざまなタイプの情報を含んでいてもよい。例えば、ＣＳＩは、オペレーティングＳＮＲのみを含んでいてもよい。ＣＳＩは、ＴＸデータプロセッサ２１８によって処理され、変調器２８０によって変調され、送信機２５４ａないし２５４ｒによって調整され、送信機システム２１０に返信される。
【００４２】
さらに、ＳＮＲ推定値を利用して、パイロットシンボルを送信している、セルのクラスタまたはセル内の移動局の位置を決定することができる。この情報を利用して、移動局に割り当てるパイロットパターンを決定することができる。いくつかの実施形態では、メモリ２３２および２７２は、ワイヤレス通信システム内で利用できる異なるパイロットパターンに対応する識別子を含んでいてもよい。ハンドオフのためにパイロットパターンが使用されるべきか否か、または、移動局の位置が、セルまたはセクタ境界に近いことを示しているか否かに基づいている、メモリがパイロットパターンを識別してもよい。パイロットパターンは同じパイロットシンボル位置も有しているが、異なるパイロットパターンがどのように互いに区別されるかに基づいて、ユーザ特定および／またはセクタ特定スクランブリングシーケンスも有する。これらの識別子は、送信機から受信機に送信され、識別されたパイロットパターンにしたがってパイロットシンボルを変調するために受信機によって利用される。
【００４３】
送信機システム２１０では、受信機システムによって報告されたＣＳＩを回復させるために、受信機システム２５０からの変調された信号が、アンテナ２１４によって受信され、受信機２２２によって調整され、復調器２４０によって復調され、ＲＸデータプロセッサ２４２によって処理される。報告されたＣＳＩは、プロセッサ２３０に提供され、（１）データストリームに対して使用されるべきデータレート、ならびにコーディングおよび変調スキームを決定するために、そして、（２）ＴＸデータプロセッサ２１４およびＴＸプロセッサ２２０に対するさまざまな制御を発生させるために使用される。
【００４４】
プロセッサ２３０および２７０は、それぞれ、送信機システムおよび受信機システムにおける動作を命令する。メモリ２３２および２７２は、それぞれ、プロセッサ２３０および２７０によって使用されるプログラムコードおよびデータを記憶装置に提供する。メモリ２３２および２７２は、利用される場合に、クラスタ位置、ユーザ特定スクランブリングシーケンス、セクタ特定スクランブリングシーケンスの観点から、また、利用される場合に、セル特定スクランブリングシーケンスの観点からパイロットパターンを記憶する。
【００４５】
プロセッサ２３０および２７０は、パイロットパターン、ユーザ特定スクランブリングシーケンス、セクタ特定スクランブリングシーケンスのうちのどれかを選択でき、また、パイロットシンボルの送信では、セル特定スクランブリングシーケンスが利用されることになる。
【００４６】
受信機では、さまざまな処理技術を使用して、ＮR個の受信信号を処理し、ＮT個の送信シンボルストリームを検出する。これらの受信機処理技術は、２つの主カテゴリー、（ｉ）（等化技術とも呼ばれる）空間的および空間時間受信機処理技術と、（ｉｉ）（「連続的干渉キャンセル」または「連続的キャンセル」受信機処理技術とも呼ばれる）「連続的ヌリング／等化および干渉キャンセル」受信機処理技術にグループ化されてもよい。
【００４７】
図２は、ＭＩＭＯシステムを説明しているが、複数の送信アンテナ、例えば、基地局上の送信アンテナが、１つ以上のシンボルストリームを単一のアンテナデバイス、例えば、移動局に送信する複数入力単一出力システムに同じシステムを適用できる。また、図２に関連して記述したような同じ方法で、単一入力アンテナシステムへの単一出力が利用されてもよい。
【００４８】
観点にしたがうと、ＭＩＭＯシステムの式は、ｘK＝Ｈkｓk＋ｖkである。
下記の用語は、式の要素を定義している：
ｋ：トーンインデックス
Ｈk：ＭR×ＭTチャネル行列
ｓK：ＭT×１ベクトルの送信シンボル
ｘK：ＭR×１受信されたベクトル
ｖK：ＭR×１受信機ノイズベクトル
Ｎd：ＯＦＤＭデータトーンの数
Ｎf：フレームあたりのＯＦＤＭシンボルの数
ＮU：（トーンおよびＯＦＤＭシンボルにわたった）フレームあたりのイコライザ更新の数
【００４９】
観点では、干渉ヌリングがあっても、または、干渉ヌリングがなくても、ＭＭＳＥ等化が実行される。干渉ヌリングはブロックホッピングで実行可能であり、ここでは、干渉の空間的共分散行列が、例えば、８トーンおよび１６ＯＦＤＭシンボルからなる８×１６タイルに対して一定である場合に、空間的共分散行列は容易に推定できる。シンボルレートホッピングのために、干渉統計が周波数（トーン）およびＯＦＤＭシンボルに対して変わるので、干渉統計は容易に推定できない。したがって、干渉ヌリングは、シンボルレートホッピングに対して、実行可能なオプションではない。
【００５０】
ＭＭＳＥ等化は、（ａ）イコライザ係数計算と；（ｂ）それぞれのデータシンボルに対するＳＩＮＲおよびバイアス計算と；（ｃ）データシンボルの復調とからなる。
【００５１】
観点にしたがうと、アクセス端末用の受信機は、
【数１】
2010537584.tif 000003
【００５２】
のように、ＯＦＤＭＡトーン毎に実行されるシンボルレートホッピングのための、イコライザ計算（ＭT×ＭR）の方法を含む。ここで、
【数２】
2010537584.tif 000004
【００５３】
は、受信機アンテナあたりの干渉／ノイズ分散である。計算されるべきＭT×ＭTのＭＭＳＥ逆行列は、形態：
【数３】
2010537584.tif 000005
【００５４】
である。
【００５５】
使用される送信アンテナ（ＭT）の数に基づいて、２本よりも多い（ＭT＞２）送信アンテナを備えたシステムに対してリカッチ再帰の修正されたバージョンを使用することによって、逆行列が実行されてもよい。観点では、サービングアクセスポイントに登録すると、送信機によって使用されるアンテナの数を示しているシステムパラメータまたは分離された送信を、受信機が受信してもよい。
【００５６】
観点にしたがうと、シンボルレートホッピングのために、逆行列が、第１の修正されたリカッチ再帰アルゴリズム／スキームを使用して推定される。ＭT×ＭTは、
【数４】
2010537584.tif 000006
【００５７】
として定義される。ここで、ｈjkは、Ｈkのｊ番目の行である。
【００５８】
逆行列の補助定理を使用して、再帰は、ｉ＝１，２．．．ＭRとして使用されてもよく、
【数５】
2010537584.tif 000007
【００５９】
である。
【００６０】
観点にしたがったそれぞれの反復について、演算および関係する複雑性は、第１の反復：
【数６】
2010537584.tif 000008
【００６１】
前方への第２の反復
【数７】
2010537584.tif 000009
【００６２】
と書かれてもよい。
【００６３】
ＭR反復の後、ＰK←Ｐ|MR，kが得られることに留意すべきである。例えば、（整数であるＮ＞２）Ｎ層行列のような、この技術を使用して逆行列を生成している間、Ｎよりも小さい層に対する逆数も生成され、これによって、それぞれの各層に対する逆行列を別々に生成する必要がなくなる。
【００６４】
別の観点にしたがって、干渉ヌリングによるブロックホッピングのイコライザ計算のための第２の修正されたリカッチ再帰方法が、Ｃk＝［ＨkＨ*k＋Ｒnm］−１のように実行される。
【００６５】
逆数Ｃkは、リカッチ再帰アルゴリズムの別のバージョンを使用して計算される。例えば：
【数８】
2010537584.tif 000010
【００６６】
であり、ここで、ｈjkは、Ｈkのｊ番目の行である。
【００６７】
逆行列の補助定理を使用して、再帰は、ｉ＝１，２．．．ＭTとして使用されてもよく、
【数９】
2010537584.tif 000011
【００６８】
である。
【００６９】
それぞれの反復について、演算および関係する複雑性は、第１の反復：
【数１０】
2010537584.tif 000012
【００７０】
第２の反復：
【数１１】
2010537584.tif 000013
【００７１】
と書かれてもよい。
ＭT反復の後、Ｃk←Ｃ|MT,kが取得されることに留意すべきである。例えば、この技術を使用して逆行列を生成している間、４層行列に対して、４よりも小さい層に対する逆数も同時に生成され、これにより、それぞれの層に対する逆行列を別々に発生させる必要がなくなる。
【００７２】
観点にしたがって、シンボルレートホッピングおよび干渉ヌリングによるブロックホッピングのために、リカッチ再帰スキームの修正されたバージョンを使用し、１つの逆行列を計算することによって、ＭＭＳＥ受信機は、複数の層に対するイコライザ係数を同時に発生させる。この方法を使用することによって、受信機は、より少ない加算器および乗算器のようなコンポーネントを使用してもよい。より少ない加算器および乗算器を使用した結果、受信機電力消費およびハードウェア面積は、従来のスキームと比較して減少する。
【００７３】
従来の再帰スキームを使用しているハイブリッドアプローチは、ここで提供したような修正された再帰スキームとともに使用されてもよいことを正しく認識すべきである。したがって、最適化コンポーネント１０６は、ユーティリティベースの解析を実行して、（例えば、係数は、修正された再帰スキームによって記憶されることが多いので）メモリ利用に対する省電、処理能力、リソース等を考察し、逆行列を計算することに関連してスキームを切り替えることができる。
【００７４】
さらに、多数のユーザの分離が計算的に高コストな問題になるリバースリンク中の（例えば、空間分割多元接続（ＳＤＭＡ）または何らかの適切な多元接続システムを使用している）基地局は、ここで記述した観点を使用できることを正しく認識すべきである。同様に、ここで記述した特徴は、ＭＩＭＯシステムに限定されないが、むしろ、複数の逆行列を発生（例えば、等化システム、アレイ処理、行列アレイ処理、センサネットワーク、信号処理、画像処理、フィルタリング、変換、等化．．．）させることを含むシステムに関連して使用されてもよいことを正しく認識すべきである。
【００７５】
イコライザ係数を導出することに関する方法をこれから記述および説明する。説明の簡略の目的のために、一連の動作として、方法を示し、記述するが、方法は、動作の順序によって制限されないので、いくつかの動作は、特許請求の範囲にしたがって、異なった順序および／または、ここで示したおよび記述した動作とは異なる他の動作と同時に生じることを理解および正しく認識すべきである。例えば、状態図のような一連の相互に関連した状態またはイベントとして、方法が代替的に表されることを、当業者は理解および正しく認識するだろう。さらに、特許請求の範囲にしたがって方法を実現するために、図示したすべての動作が必要とされるとは限らない。
【００７６】
特に、図３に移ると、ワイヤレス通信システム（例えば、ＯＦＤＭまたはＯＦＤＭＡシステム）においてイコライザ係数を導出することを促進する方法３００を図示している。方法は、シンボル期間中に、複数のアンテナを使用して同時に送信されたデータ送信を分離するためのＭＭＳＥ空間技術を使用する何らかの適切な受信機によって使用されてもよい。例えば、方法３００は、ＭＭＳＥ空間技術を使用する基地局またはアクセス端末によって使用されてもよい。方法は３０２において開始し、メモリにアクセスすることによってシステムパラメータを決定する。アクセス端末がサービングアクセスポイントまたは基地局に登録したとき、１組の情報が交換される。例えば、送信または受信のためにシステムによって使用されるアンテナの数である。また、トーンあたり使用されるアンテナの数は、特定のチャネルを使用して送信されてもよい。それぞれのＯＦＤＭトーンまたはシンボルに対して、使用されるアンテナの数が変わってもよい。送信機からのデータ送信を受信するために、方法が３０４に進む。観点では、方法が、３０６に進み、ここで、送信のために、２本より多いアンテナが使用されるか否かが決定される。特定の送信のために、２本より多いアンテナが使用された場合、観点にしたがって、方法は、再帰技術を使用して、イコライザ係数を決定する。３０８では、システムが２本より多いアンテナを使用することが決定された場合、方法は、使用されるホッピング方法のタイプに基づいて、修正されたリカッチ再帰スキームを選択して、イコライザ係数を発生させる。観点にしたがって、方法は、シンボルレートホッピングのために、第１の修正されたリカッチ再帰スキームを選択し、そして、方法は、ブロックホッピングのために、第２の修正されたリカッチ再帰スキームを選択する（双方の方法とも先に記述した）。
【００７７】
観点では、再帰スキームを選択した後、方法は３１０に進み、選択されたスキームを使用して、（先に記述した）１つの逆行列を計算することによって、すべての層に対するイコライザ係数を発生させる。例示のように、４本のアンテナを使用するＭＩＭＯシステムは、４つの層（４×４逆行列に対して１つ、３×３逆行列に対して１つ、２×２逆行列に対して１つ、１×１逆行列に対して１つ）に対する逆行列が必要である４×４の行列を発生させてもよい。ホッピング方法を決定した後、修正されたリカッチ再帰スキームを使用し、逆行列を実行して、すべての層に対するイコライザ係数が同時に計算される。４本より多いアンテナを使用するシステムに対する係数を発生させるために、類似した方法が使用されてもよい。
【００７８】
これから図４を参照すると、ここで提示するさまざまな実施形態にしたがった、ワイヤレス通信システム４００を図示している。システム４００は、ワイヤレス通信信号を受信し、ワイヤレス通信信号を互いに、および／または、１つ以上の移動体デバイス４０４に送信、中継等させる、１つ以上のセクタにおける１つ以上の基地局４０２（例えば、アクセスポイント）を具備していてもよい。それぞれの基地局４０２は、送信機チェーンと受信機チェーンとを備え、そして、これらのそれぞれは、当業者によって正しく認識されるように、信号の送信および受信に関係する複数のコンポーネント（例えば、プロセッサ、変調器、マルチプレクサ、復調器、デマルチプレクサ、アンテナ等）を備えていてもよい。移動体デバイス４０４は、例えば、セルラ電話機、スマート電話機、ラップトップ、ハンドヘルド通信デバイス、ハンドヘルドコンピューティングデバイス、衛星無線、グローバルポジショニングシステム、ＰＤＡ、および／またはワイヤレス通信システム４００を通して通信するための他の何らかの適切なデバイスであってもよい。
【００７９】
基地局４０２は、ＯＦＤＭまたはＯＦＤＭＡ技術を使用することによって、コンテンツを移動体デバイス４０４にブロードキャストすることができる。ＯＦＤＭのような技術に基づいた周波数分割は、一般的に、周波数スペクトルを個別のチャネルに分離する；例えば、周波数スペクトルは、帯域幅（周波数範囲）の均一なチャンクに分割されてもよい。ＯＦＤＭは、効率的に、システム全体の帯域幅を複数の直交周波数チャネルに区切る。周波数チャネルは、システム要求に基づいて、同期または非同期ＨＡＲＱ割当を使用してもよい。さらに、複数の基地局４０２に対する複数のデータ送信間で直交性を実現するために、ＯＦＤＭシステムは時間および／または周波数分割多重を使用してもよい。
【００８０】
これから図５を参照すると、ワイヤレス通信中でイコライザ係数を導出することを促進するシステム５００を図示している。システム５００は、データ送信を受信するモジュール５０２と、再帰スキームを選択するモジュール５０４と、複数の層に対するイコライザ係数を同時に発生させるモジュール５０６とを備えている。モジュール５０２、５０４、および５０６は、プロセッサまたは何らかの電子デバイスであってもよく、メモリモジュール５０８に結合されていてもよい。
【００８１】
図６は、ここで述べた１つ以上の観点にしたがった、ワイヤレス通信環境中で他のセクタ通信を提供する端末またはユーザデバイス６００の図である。端末６００は、受信機６０２を備え、受信機６０２は、例えば、１本以上の受信アンテナで信号を受信し、一般的なアクション（例えば、受信信号をフィルタリング、増幅、ダウンコンバート等）を実行し、調整された信号をデジタル化して、サンプルを取得する。復調器６０４は、サンプルを復調し、受信パイロットシンボルをプロセッサ６０６に提供する。
【００８２】
プロセッサ６０６は、受信機コンポーネント６０２によって受信された情報を解析すること、および／または、送信機６１４による送信のために情報を発生させることとに専用化されたプロセッサであってもよい。プロセッサ６０６は、端末６００の１つ以上のコンポーネントを制御するプロセッサ、および／または、受信機６０２によって受信された情報を解析し、送信機６１４による送信のために情報を発生させ、端末６００の１つ以上のコンポーネントを制御するプロセッサであってもよい。プロセッサ６０６は、図２〜３に関連して記述した方法を含む、ここで記述した方法のうちの任意のものを利用してもよい。
【００８３】
さらに、端末６００は、受信された入力を解析する送信制御コンポーネント６０８を備えていてもよい。受信された入力は、送信に成功した肯定応答を含む。肯定応答（ＡＣＫ）は、サービングセクタおよび／または隣接セクタから受信されてもよい。以前の送信がアクセスポイントのうちの１つにより上手く受信されデコードされたことを、肯定応答は示していてもよい。肯定応答が受信されなかった場合または否定応答（ＮＡＫ）が受信された場合、送信が再度行われてもよい。送信制御コンポーネント６０８は、プロセッサ６０６に組み込まれていてもよい。送信制御コンポーネント６０８が、肯定応答の受信を決定することに関連して解析を実行する送信制御コードを含むことを正しく認識すべきである。
【００８４】
端末６００は、メモリ６１０を付加的に備えていてもよく、メモリ６１０は、プロセッサ６０６に動作可能に結合され、また、送信に関連する情報や、アクティブセットのセクタや、送信を制御する方法や、これらに関する情報を含むルックアップテーブルや、送信に関連する他の何らかの適切な情報や、ここで記述したようなアクティブセットのセクタを記憶してもよい。ここで記述したデータ記憶（例えば、メモリ）コンポーネントは、揮発性メモリまたは不揮発性メモリのいずれかであってもよく、あるいは、揮発性および不揮発性メモリの双方とも備えていてもよいことが正しく認識されるだろう。実例として、不揮発性メモリは、リードオンリーメモリ（ＲＯＭ）、プログラマブルＲＯＭ（ＲＰＯＭ）、電気的プログラマブルＲＯＭ（ＥＰＲＯＭ）、電気的に消去可能なＲＯＭ（ＥＥＰＲＯＭ）、またはフラッシュメモリを含んでいてもよいが、これらに限定されない。揮発性メモリは、ランダムアクセスメモリ（ＲＡＭ）を含んでいてもよく、ランダムアクセスメモリ（ＲＡＭ）は外的キャッシュメモリとして機能する。実例として、ＲＡＭは、シンクロナスＲＡＭ（ＳＲＡＭ）や、ダイナミックＲＡＭ（ＤＲＡＭ）や、シンクロナスＤＲＡＭ（ＳＤＲＡＭ）や、ダブルデータレートＳＤＲＡＭ（ＤＤＲ ＳＤＲＡＭ）や、エンハンスドＳＤＲＡＭ（ＥＳＤＲＡＭ）や、同期リンクＤＲＡＭ（ＳＬＤＲＡＭ）や、ダイレクトラムバスＲＡＭ（ＤＲＲＡＭ）のような多くの形態で利用可能であるが、これらに限定されない。本願システムのメモリ６１０および方法は、これらのメモリ、および、他の何らかの適切なタイプのメモリを含むことに向けられているが、これらに限定されない。プロセッサ６０６は、シンボル変調器６１２と、変調された信号を送信する送信機６１４とに接続されている。
【００８５】
図７は、さまざまな観点にしたがった、通信環境中の他のセクタ通信を促進するシステム７００の図である。システム７００は、１つ以上の受信アンテナ７０６を通して、１つ以上の端末７０４から信号を受信する受信機７１０を備え、複数の送信アンテナ７０８を通して１つ以上の端末７０４に送信するアクセスポイント７０２を具備する。端末７０４は、アクセスポイント７０２によってサポートされているこれらの端末、ならびに隣接セクタによってサポートされている端末７０４を含んでいてもよい。１つ以上の観点では、受信アンテナ７０６および送信アンテナ７０８は、１組のアンテナを使用して実現されてもよい。受信機７１０は、情報を受信アンテナ７０６から受信し、受信した情報を復調する復調器７１２に動作的に関係付けられている。受信機７１０は、例えば、当業者によって正しく認識されるように、レーク受信機（例えば、複数のベースバンド相関器を使用して、マルチパス信号成分を個々に処理する技術．．．）や、ＭＭＳＥベースの受信機、または、これらに割り当てられている端末を分離するのに適した他の何らかの受信機であってもよい。さまざまな観点にしたがうと、複数の受信機が（例えば、受信機アンテナにつき１つ）使用され、このような受信機はユーザデータの向上された推定を提供するように、互いに通信できる。復調されたシンボルは、プロセッサ７１４によって解析される。プロセッサ７１４は、図１０に関連して先に記述したプロセッサに類似しており、端末に関係するリソースおよびこれに類するものが割り当てられた端末に関する情報を記憶するメモリ７１６に結合されている。それぞれのアンテナに対する受信機出力は、受信機７１０および／またはプロセッサ７１４によって結合的に処理されてもよい。送信アンテナ７０８を通しての端末７０４への送信機７２０による送信のために、変調器７１８は、信号を多重化することができる。
【００８６】
アクセスポイント７０２は、端末通信コンポーネント７２２をさらに備え、端末通信コンポーネント７２２は、プロセッサ７１４とは別個のプロセッサまたはプロセッサ７１４に一体化されたプロセッサであってもよい。端末通信コンポーネント７２２は、隣接セクタによってサポートされている端末に対するリソース割当情報を取得してもよい。さらに、端末通信コンポーネント７２２は、隣接セクタに対する割当情報を、アクセスポイント７０２によってサポートされている端末に提供してもよい。バックホールシグナリングによって、割当情報が提供されてもよい。
【００８７】
割り当てられたリソースに関する情報に基づいて、端末通信コンポーネント７２２は、隣接セクタによってサポートされている端末からの送信の検出、ならびに受信した送信のデコーディングを命令してもよい。メモリ７１６は、パケットのデコーディングに必要な割当情報の受信の前に、端末から受信されたパケットを維持してもよい。端末通信コンポーネント７２２はまた、送信の受信およびデコーディングに成功したこと示している肯定応答の送信および受信を制御してもよい。端末通信コンポーネント７２２は、送信解析コードを含み、送信解析コードが、リソースを割り当てることや、ソフトハンドオフのために端末を識別することや、送信をデコーディングすることや、これに類することに関連してユーティリティベースの制御を実行することを正しく認識すべきである。端末解析コードは、端末性能を最適化することに関連して、推論および／または確率的決定および／または統計ベースの決定を実行することに関連する方法に基づいた人工知能を利用してもよい。
【００８８】
ここで記述した技術は、さまざまな手段によって実現されてもよい。例えば、これらの技術は、ハードウェア、ソフトウェア、またはこれらを組み合わせたもので実現されてもよい。ハードウェア実現のために、これらの技術向けの処理ユニット（例えば、ＴＸプロセッサ２１４、２２０や、ＲＸプロセッサ２６０および２７０等）は、１つ以上の特定用途向け集積回路（ＡＳＩＣ）、デジタル信号プロセッサ（ＤＳＰ）、デジタル信号処理デバイス（ＤＳＰＤ）、プログラマブルロジックデバイス（ＰＬＤ）、フィールドプログラマブルゲートアレイ（ＦＰＧＡ）、プロセッサ、制御装置、マイクロ制御装置、マイクロプロセッサ、ここで記述した機能を実行するように設計されている他の電子ユニット、あるいはこれらを組み合わせたもの内で実現されてもよい。
【００８９】
ソフトウェアの実現のために、ここで記述した機能を実行するモジュール（例えば、手順、関数等）により、ここで記述した技術が実現されてもよい。ソフトウェアコードは、メモリユニット中に記憶されて、プロセッサによって実行されてもよい。メモリユニットが技術的に知られているようなさまざまな手段によって、プロセッサに通信可能に結合されている場合に、メモリユニットはプロセッサ内部またはプロセッサの外部で実現されてもよい。
【００９０】
先に記述していることは、１つ以上の観点の例を含んでいる。もちろん、先に言及した観点を記述する目的のためにコンポーネントまたは方法のすべての考えられる組み合わせを記述することは不可能であるが、当業者は、さまざまな観点の多くのさらなる組み合わせおよび置換が可能性であることを認識してもよい。したがって、記述した観点は、特許請求の範囲の精神および範囲内にあるすべてのこのような変更、修正およびバリエーションを含むことを意図している。さらに、「含む」という文言が詳細な説明または特許請求の範囲のいずれかで使用される限り、このような文言は、請求項中で移行語として使用されるときに「具備する」が解釈されるように、文言「具備する」に類似して包括的であることが意図されている。
【図１】
2010537584.tif 000018
【図２】
2010537584.tif 000019
【図３】
2010537584.tif 000020
【図４】
2010537584.tif 000021
【図５】
2010537584.tif 000022
【図６】
2010537584.tif 000023
【図７】
2010537584.tif 000024
【国際調査報告】
2010537584.tif 000025
2010537584.tif 000026